【事件の表示】
　特許第２９３６４２５号「パチンコ機」の請求項１ないし２に係る特許に対する特許異議の申立てについて、次のとおり決定する。
【結　論】
　特許第２９３６４２５号の請求項１ないし２に係る特許を維持する。
【理　由】
１．本件発明
　本件特許第２９３６４２５号（平成２年８月２４日特許出願、平成１１年６月１１日設定登録）の請求項１及び請求項２に係る発明は、その特許請求の範囲の請求項１及び請求項２に記載された次のとおりのものと認める。
　「【請求項１】遊技盤に遊技者にとって不利な第１状態と遊技者に有利な第２状態とに変換可能な大入賞装置と、始動入賞口を少なくとも備えたパチンコ機において、
　上記遊技盤には、駆動源の作動により遊技者に与える利益を変化させる普通電動役物と、所定の条件で大入賞装置を第１状態から第２状態に変化させる特別作動の権利を獲得できる権利入賞口及び賞球を獲得可能な普通入賞口を設けた入賞室を備える入賞装置と、前記普通電動役物の作動条件を創出可能な普通電動役物スイッチが臨む特定検出手段を配設し、
　前記普通電動役物により前記入賞装置の球入口を形成すると共に、当該球入口から入賞室へ入球した球を権利入賞口及び普通入賞口ヘ振り分け、電気的制御手段により、前記大入賞装置と普通電動役物と特定検出手段を相互に関連付けたことを特徴とするパチンコ機。
【請求項２】前記普通電動役物は、常態で球が入賞できる開口構造となっていることを特徴とする特許請求の範囲第１項に記載のパチンコ機。」
　
２．申立ての理由の概要
　特許異議申立人細江裕実は、証拠として甲第１号証（特開昭６３−２５２１８３号公報）、甲第２号証（特開昭６３−３０９２８６号公報）及び甲第３号証（特開昭６４−８０３８６号公報）を提出し、本件請求項１及び２に係る特許は次の理由により取り消すべきである旨主張している。
（１）本件請求項１に係る発明は、甲第１号証または甲第２号証に記載された発明であり、特許法第２９条第１項第３号の発明に該当するから、この特許は特許法第２９条第１項の規定に違反して特許されたものである。
（２）本件請求項２に係る発明は、甲第１号証と甲第３号証あるいは甲第２号証と甲第３号証に記載された発明に基いて、当業者が容易に発明をすることができたものであるから、この特許は特許法第２９条第２項の規定に違反してされたものである。
　
３．甲号証記載の発明
　甲第１号証には、次の事項が記載されている。
　「パチンコ遊技機１に設けられた遊技盤２により遊技領域３が形成されており、その遊技領域３には、通過領域の一例としての始動入賞口６ａ，６ｂと、第１の遊技装置の一例である可変入賞球装置４と、第２の遊技装置の一例である特別入賞球装置５とが設けられている。・・・・・
　第２図中、９ａ，９ｂは通過玉検出手段の一例である始動検出器であり、始動入賞口６ａ，６ｂ（第１図参照）へのパチンコ玉の入賞を検出するものである。そして、この始動検出器９ａ，９ｂによる検出信号に基づいて、前記可変入賞球装置４の開閉翼片１２ａ，１２ｂ（第３図および第４図参照）を開閉させるための開閉ソレノイド１７が設けられている。また、その開閉ソレノイド１７の下方には、特定領域通過玉検出手段の一例である特定入賞玉検出器７が設けられており、前記可変入賞球装置４内に進入したパチンコ玉が、後述する特定領域の一例である特定入賞口１４（第３図および第４図参照）に入賞したことを検出する。また、その特定入賞玉検出器７による検出出力に基づいて、開閉用ソレノイド１１が作動するよう構成されており、その開閉用ソレノイド１１の作動により、第１図に示した特別入賞球装置５が一定回数開閉する。そして、開閉中の特別入賞球装置５ヘパチンコ玉が入賞すれば、特別入賞玉検出器１０により検出され、その検出出力に基づいて、開閉ソレノイド１７が作動し、開閉翼片１２ａ，１２ｂ（第３図および第４図参照）が最大１８回開閉するように構成されている。なお、第２図中８は１０カウント検出器であり、開閉中の可変入賞球装置４内に進入したパチンコ玉の個数を検出するものである。
　次に、前記可変入賞球装置４を、第３図および第４図に基づいて説明する。
　可変入賞球装置４は、その外壁と開閉翼片１２ａ，１２ｂとにより、入賞空間１３を形成している。そして、通常は開閉翼片１２ａ，１２ｂが閉成しているために、パチンコ玉が入賞空間１３内に進入できないのであるが、前述した、始動入賞口６ａ，６ｂへの入賞に伴う始動検出器９ａ，９ｂからの検出出力などに基づいて、開閉翼片１２ａ，１２ｂが図に示すように開閉状態となれば、パチンコ玉の入賞空間１３内への進入が可能となる。入賞空間１３内に進入したパチンコ玉は、下方に設けられた特定領域の一例である特定入賞口１４あるいは通常入賞口１５ａ，１５ｂのいずれかに入賞するのであり、通常入賞口１５ａ，１５ｂに入賞すれば、景品玉が１３個払出される。このように、可変入賞球装置４すなわち第１の遊技装置はパチンコ玉の入賞した入賞口の種類によって複数の遊技結果を導出する。また、特定入賞口１４に入賞すれば、第４図に示すように、下方に設けられた特別入賞球装置５の可動翼片１６ａ，１６ｂが０．５秒間の開閉を８回繰返す。そして、この開閉中の特別入賞球装置５に、第４図に示すようにパチンコ玉Ｐが入賞すれば、前記開閉翼片１２ａ，１２ｂが１８回開閉するよう構成されている。但し、この１８回の開閉途中に、可変入賞球装置４へ入賞したパチンコ玉の数が１０個となった場合は、１０カウント検出スイッチ８（第２図参照）からの出力により、開閉翼片１２ａ，１２ｂが、その１８回の開閉に満たないうちに閉成されるよう制御される。
　また、開閉翼片１２ａ，１２ｂの１８回の開閉（大当り状態）途中で、パチンコ玉が特定入賞口１４内に入賞すれば、現在行なっている大当り処理が終了した後、再び特別入賞球装置５が０．５秒間の開閉を８回繰返し、その間にパチンコ玉が特別入賞球装置５に入賞すれば、再び１８回の開閉（大当り状態）が開始されるよう制御される。・・・・・この大当り状態の継続上限回数は８回に定められている。」（第３頁右上欄１４行〜第４頁右上欄１０行）。
　甲第２号証には、次の事項が記載されている。
　「（イ）通常遊技状態の動作
　通常、２つの変動入賞装置５，１０に於る開閉扉５１、開閉翼６１は打球を受入れないか受け入れ難い第１状態に在り、遊技球に対し閉じている。  今、特定入賞口たるチューリップ型入賞器６に打球が入賞し検出器ＳＷ１で検出されると、第１５図に示すように、主変動入賞装置４の第１ソレノイドＳＯＬ１が０．４秒間隔で２回付勢されて、可動片１６が０．４秒間隔にて２回開く。また、第１５図に示すように、第２ソレノイドＳＯＬ２が、まず、この２回開閉動作の期間中、つまり１．２秒間付勢され、続いて０．２秒の間隔を置いて０．２秒間だけ付勢される。この結果、背景モデル３０の足部分３５Ａは、
可動片１６が２回開閉動作している期間中（１．２秒間）は閉じて、特別入賞口２８へ入賞球を誘導し易くする・・・・・
　特別入賞口２８へ入賞した球を有効として扱う有効期間は、第１５図に示すように、検出器ＳＷ１が作動した時点より２．４秒間だけ続く。この有効時間内にもし特別入賞口２８への入賞球が発生し、それが特別入賞検出器ＳＷ２で検出されれば、次に述べる大当たりとしての特別遊技態様の「権利発生」となり、権利発生表示部（４７、４７Ａ、４７Ｂ等）の点灯と下記の動作がなされる。残念ながら通常入賞口２７へ入賞した場合には、所定球数（例えば１３個）の賞球排出しか行なわない。・・・・・・
（ロ）特別遊技態様での動作
（１）第１変動入賞装置の開成
　特別遊技態様の権利が発生すると、第１変動入賞装置５の開成ソレノイドＳＯＬ１が作動され、その開閉扉５１が一定時間（この例では５．８秒）だけ第５図に示すように開かれる。開閉扉５１が開かれると、第１変動入賞装置５に打球が入賞し易くなる。
　不幸にも権利発生後、開成動作した第１変動入賞装置５に打球が１個も入賞しなかった場合には、特別遊技態様は、その開閉扉５１の１回の開成動作のみで終了となる。しかし、幸にして第１変動入賞装置５の開成動作の間に打球が入賞すると、その入賞球がカウント検出器ＳＷ４によって検出され、第２変動入賞装置１０の開成動作が約束される。
（２）第２変動入賞装置の開成
　第１変動入賞装置５への最初の入賞球がカウン卜検出器ＳＷ３で検出されると、１．８秒の初期ウエイトタイムを置いて、第２変動入賞装置１０のソレノイドＳＯＬ２が作動され、その開閉翼６１が５．８秒だけ開かれる。この第２変動入賞装置１０の開閉翼６１が開かれると、第１変動入賞装置５に加えて第２変動入賞装置１０にも打球が入賞し易くなる。
　第２変動入賞装置１０は第１変動入賞装置５に関連して開かれるが、それだけではなく、その第２変動入賞装置１０の開成動作回数は、関連する１つ前の第１変動入賞装置５が開成動作している間に入賞した入賞個数により決定される。つまり、その開成動作回数は、遊技者が異なるたびに或いは遊技の都度相違し、開成動作回数の増減変動が生れる。ここに、遊技者が技術介入する価値が大幅に高揚される。」（第９頁右上欄９行〜第１０頁右上欄６行）。
　甲第３号証には、次の事項が記載されている。  「次ぎに、第１図〜第３図に示す実施例の動作を概説する。
  先ず、遊技過程おいて何れかの入賞領域に入賞すると所定数の賞品球が排出されることは一般のパチンコ遊技機と同様である。
　又、遊技過程において、特定入賞領域９ａ・９ｂに入賞した場合には変動入賞装置８の開閉翼片８ｄ・８ｅを各々同時に１回（０．８秒）開成して変動入賞装置８内へ入賞し易い状態を提供する。開閉翼片８ｄ・８ｅの開成中に変動入賞装置８内の特別入賞領域８ｐに入賞しない場合には、一般遊技状態（開閉翼片８ｄ・８ｅが閉成した状態）に復帰する。
　又、開閉翼片８ｄ・８ｅの開成中に変動入賞装置８内の特別入賞領域８ｐに入賞した場合には特別入賞センサＳ２ が作動して、所定のウェイトタイムの後に特別遊技状態の第１サイクル目に移行する。
　特別遊技状態の各サイクルでは開閉翼片８ｄ・８ｅが例えば０．８秒周期で所定回数（例えば１８回）開閉し、１８回目の開成終了によって特別遊技状態の当該サイクルは終了する。
　又、特別遊技状態の各サイクルにおいて、変動入賞装置８内に入賞したパチンコ球は入賞球センサＳ４ で検出されて計数される。そして、特別遊技状態の各サイクルにおける変動入賞装置８内ヘの入賞球数が所定球数（例えば１０個）に達すると、開閉翼片８ｄ・８ｅの開閉回数が１８回に達する以前であっても特別遊技状態の当該サイクルを終了する。
　更に、特別遊技状態の各サイクルにおいて、特別入賞領域８ｐ内に入賞したパチンコ球は特別入賞センサＳ２ によって検出されて記憶される。
　そして、特別遊技状態の各サイクルが開閉翼片の１８回の開閉又は変動入賞装置８内への１０個の入賞によって終了した時点で、当該サイクルにおける特別入賞領域８ｐへの入賞を記憶している場合には，所定のウェイトタイムの後に特別遊技状態の次サイクルに移行する。
　一方、特別遊技状態の各サイクルが終了した時点で、当該サイクルにおける特別入賞領域８ｐヘの入賞を記憶していない場合には、一般遊技状態に復帰する。
　繰り返された特別遊技状態のサイクル数は計数手段によって計数され、持別遊技状態の８サイクル目に達すると、当該サイクルにおいては特別入賞センサＳ２ の出力は無視され、従って、特別遊技状態は最大８サイクルで終了して一般遊技状態に復帰する。」（第５頁右上欄２行〜右下欄１０行）
　「次に動作を説明する。
　先ず、特別遊技状態において開閉翼片５１ａ・５１ｂが変動入賞装置５１を開成している間に流入したパチンコ玉は分流ピン５１ｃによって分流されて、一般入賞領域５１ｄ・５２ｅ又は特別入賞流路５１ｆの何れかに流入する。一般入賞領域５１ｄ・５２ｅに入賞した場合の動作は入賞センサＳ４ がメークし、以後は第１図〜第４図に示す実施例と全く同様に作用する。
　又、特別入賞流路５１ｆに入賞したパチンコ球は分流回転体５１ｈの回転位置に対応して特別入賞溝５１ｋ又は権利消滅入賞溝５１ｍの何れかに落下する。そして、特別入賞溝５１ｋに落下したパチンコ球は後壁５１ｎに遮られて権利消滅口５１ｑには落下せず、分流回転体５１ｈが１８０度回転した時に特別入賞領域５１ｊに流入し、特別入賞センサＳ３ が作動し、以下は第１図〜第４図に示す実施例と全く同様に作用する。
　一方、分流回転体５１ｈの回転位置に対応して権利消滅入賞溝５１ｍに落下したパチンコ球は、分流回転体５１ｈの回転によって権利消滅溝５１ｍが権利消滅口５１ｑと重なった時に権利消滅口５１ｑに流入し、権利消滅センサＳ５ がメ−クする。」（第１０頁左下欄１５行〜右下欄１８行）。
　
４．対比・判断
　本件請求項１に係る発明と甲第１号証又は甲第２号証に記載された発明とを対比すると、両者は、大入賞装置（後者では可変入賞球装置４あるいは第１変動入賞装置５）を有するパチンコ機である点で共通するが、後者は、前者の「所定の条件で大入賞装置を第１状態から第２状態に変化させる特別作動の権利を獲得できる権利入賞口及び賞球を獲得可能な普通入賞口を設けた入賞室を備える入賞装置と、前記普通電動役物の作動条件を創出可能な普通電動役物スイッチが臨む特定検出手段を配設した」構成及び「電気的制御手段により、前記大入賞装置と普通電動役物と特定倹出手段を相互に関連付けた」構成を備えていないから、前者、すなわち、本件請求項１に係る発明が、後者、すなわち、甲第１号証及び甲第２号証の刊行物に記載された発明と同一であるとはいえない。
　つぎに、本件請求項２に係る発明は、請求項１に係る発明を更に限定したものであるところ、本件請求項２に係る発明と甲第１号証及び甲第２号証の刊行物に記載された発明とは、上記したとおりの構成が相違しており、両者は、その動作を著しく異にする。すなわち、本件請求項２に係る発明は、権利入賞口１４に遊技球が入ると、特別作動権利を獲得するが、大入賞装置は未だ作動せず、この状態で始動入賞口に遊技球が入ると、はじめて大入賞装置が遊技者に有利な第２状態に変化するものであるのに対し、甲第１号証の刊行物に記載された発明は、特定入賞口１４（前者の権利入賞口１４に相当）に遊技球が入ると、特別入賞球装置５の可動翼片１６ａ，１６ｂが短時間の開閉を数回繰り返し、その間に特別入賞球装置５に遊技球が入ると、可変入賞球装置４の開閉翼片１２ａ，１２ｂが最多１８回開閉する（大当たり状態）ものであり、甲第２号証の刊行物に記載された発明は、特別入賞口２８（前者の権利入賞口１４に相当）に遊技球が入ると、大当たりとして特別遊技態様となり、第１変動入賞装置５の開閉扉５１が一定時間開き、その間に入賞球があると、その数の回数だけ第２変動入賞装置１０の開閉翼６１が一定時間開くものである。
　それゆえ、本件請求項２に係る発明は、甲第３号証に記載された発明を考慮しても、甲第１号証あるいは甲第２号証に記載された発明に基いて、当業者が容易に発明をすることができたものであるとは認められない。
　
５．むすび
　したがって、特許異議申立ての理由および証拠方法によっては、本件請求項１及び２に係る特許を取り消すことはできない。
　また、他に本件請求項１及び２に係る特許を取り消すべき理由を発見しない。
　よって、結論のとおり決定する。
【異議決定日】
平成１２年７月２７日（２０００．７．２７）